(57)【要約】【課題】  油処理槽の圧縮空気室には、圧縮空気圧力が予め定めた所要の設定圧力以上になった場合に大気へ放出する為の安全弁を配設することで、圧縮空気圧力と設定圧力の差圧の分、無駄なエネルギーの排出を行っていたし、安全弁が作動している間、設定圧力以上の圧縮空気が下流に配設した油吸着槽に流れて行くことで、油吸着槽に収納した油吸着材に特定の流路を形成し、早い時点に油吸着材の交換を必要とした。【解決手段】  圧縮空気が各種機器を経由する際に圧縮空気より発生したドレン水を、各種機器に接続しているドレン排出管と集合管を経由させて、ドレン水処理装置１に送り込むことでドレン水の中に含まれた異物を除去する圧縮空気より発生したドレン水の処理装置に於いて、ドレン排出管全てが合流してからエマルジョン破壊油吸着槽３０迄の間の集合管２６１、２６２、２６３または接続管２７２、２７３の何れかの位置に、以降の二次圧を一定の値を超えないように減圧する減圧弁２６５を配設した。【選択図】  図１
2005111459.tif 000002
【特許請求の範囲】
【請求項１】
圧縮空気が各種機器（１２０、１３０、１４０、１５０）を経由する際に圧縮空気より発生したドレン水を、前記各種機器（１２０、１３０、１４０、１５０）に接続しているドレン排出管（２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ）と集合管（２６１、２６２、２６３）を経由させて、油水分離槽（１０）とエマルジョン破壊油吸着槽（３０）の順にドレン水が流れるように構成されているドレン水処理装置（１）に送り込むことでドレン水の中に含まれた異物を除去する圧縮空気より発生したドレン水の処理方法に於いて、前記ドレン排出管（２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ）全てが合流してから前記エマルジョン破壊油吸着槽（３０）迄の間の何れかの位置を起点として、以降の二次圧を一定の値を超えないように減圧することを特徴とする圧縮空気より発生したドレン水の処理方法。
【請求項２】
圧縮空気が各種機器（１２０、１３０、１４０、１５０）を経由する際に圧縮空気より発生したドレン水を、前記各種機器（１２０、１３０、１４０、１５０）に接続しているドレン排出管（２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ）と集合管（２６１、２６２、２６３）を経由させて、油水分離槽（１０）とエマルジョン破壊油吸着槽（３０）の順にドレン水が流れるように構成されているドレン水処理装置（１）に送り込むことでドレン水の中に含まれた異物を除去する圧縮空気より発生したドレン水の処理装置に於いて、前記ドレン排出管（２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ）全てが合流してから前記エマルジョン破壊油吸着槽（３０）迄の間の集合管（２６１、２６２、２６３）または接続管（２７２、２７３）の何れかの位置に、以降の二次圧を一定の値を超えないように減圧する減圧弁（２６５）を配設したことを特徴とする圧縮空気より発生したドレン水の処理装置。
【請求項３】
前記各種機器（１２０、１３０、１４０、１５０）は複数存在することを特徴とする請求項２に記載の圧縮空気より発生したドレン水の処理装置。
【請求項４】
前記ドレン排出管（２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ）の途中には全て電磁式のドレントラップ（２２２、２３２、２４２、２５２）を配設したことを特徴とする請求項２または請求項３に記載の圧縮空気より発生したドレン水の処理装置。
【請求項５】
前記ドレン排出管（２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ）全てが合流するということは、複数のエアーコンプレッサが配設されている場合、複数の前記エアーコンプレッサに関係する全てのドレン排出管が合流するものであることを特徴とする請求項２ないし請求項４の何れか１項に記載の圧縮空気より発生したドレン水の処理装置。
【発明の詳細な説明】
【技術分野】
【０００１】  本発明は、圧縮空気用より発生したドレン水の処理方法および処理装置に関する技術であって、更に詳細に述べると、圧縮空気より発生したドレン水から油を含む異物を除去して河川にそのまま排出することが可能な清水を作り出す技術に関するものについて述べたものである。
【背景技術】
【０００２】  従来、圧縮空気用より発生したドレン水の処理方法および処理装置に関する技術としては、油処理槽８（本発明の、油水分離槽１０に該当）に安全弁１７を配設したものがある（例えば、特許文献１参照。）。【０００３】  以下、従来の圧縮空気用より発生したドレン水の処理処理装置について説明する。  特許文献１において、１７は安全弁である。【０００４】  この場合、特許文献１の２頁左欄２９行〜４２行に見られるように、「・・・。即ち８は密閉式油処理槽であり、内部は仕切板９によって油浮上分離室１０と水貯槽室１１に区分され、それら油浮上分離室１０、水貯槽室１１の上部が圧縮空気室１２として形成されている。・・・、圧縮空気室１２には、圧縮空気室１２内の圧縮空気圧力が予め定めた所要の設定圧力以上になった場合に大気へ放出する為の安全弁１７を有する圧縮空気排出管１８が接続されている。」という内容が記されている。
また、同じ特許文献１の３頁左欄３行〜６行には、「・・・。圧縮空気室１２には安全弁１７が配されているので、設定圧力以上の圧力は該弁の作動により放出され、圧縮空気室には所定の圧力に保持される。」という内容が記されている。
【特許文献１】    特公昭６３−３９７９９号  公報
【発明の開示】
【発明が解決しようとする課題】
【０００５】  しかしながら、このような従来の、圧縮空気用より発生したドレン水の処理方法および処理装置に関しては、以下に示すような課題があった。【０００６】  先ず、密閉式油処理槽を形成している圧縮空気室には、圧縮空気室内の圧縮空気圧力が予め定めた所要の設定圧力以上になった場合に大気へ放出する為の安全弁を配設することで、圧縮空気圧力と設定圧力の差圧の分、安全弁を開放して圧縮空気を大気に開放するという、無駄なエネルギーの排出を行っていた。【０００７】  次に、密閉式油処理槽を形成している圧縮空気室には、圧縮空気室内の圧縮空気圧力が予め定めた所要の設定圧力以上になった場合に大気へ放出する為の安全弁を配設することで、圧縮空気室は所定の圧力に保持されるように配慮しているはずであるが、安全弁が油処理槽の圧縮空気室に接続しているような配設位置による構造的な特性により、安全弁が作動している間、設定圧力以上の圧縮空気が下流に配設した油吸着槽に流れて行くことで、油吸着槽に収納した油吸着材に特定の流路を形成し、早い時点に油吸着材の交換を必要とした。【０００８】  前記二つの事項は、ドレン水を発生させるエアタンクやアフタークーラーやドレンセパレータやドライヤーの接続する数が多ければ多いほど顕著であった。特に、これらの機器から同時に圧縮空気が流れて来た時には、設定圧力以上の圧縮空気が下流に配設した油吸着槽に流れて行く事が顕著であった。
【課題を解決するための手段】
【０００９】  本発明は、圧縮空気が各種機器１２０、１３０、１４０、１５０を経由する際に圧縮空気より発生したドレン水を、前記各種機器１２０、１３０、１４０、１５０に接続しているドレン排出管２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄと集合管２６１、２６２、２６３を経由させて、油水分離槽１０とエマルジョン破壊油吸着槽３０の順にドレン水が流れるように構成されているドレン水処理装置１に送り込むことでドレン水の中に含まれた異物を除去する圧縮空気より発生したドレン水の処理方法に於いて、前記ドレン排出管２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ全てが合流してから前記エマルジョン破壊油吸着槽３０迄の間の何れかの位置を起点として、以降の二次圧を一定の値を超えないように減圧することを特徴とすることによって、上記課題を解決したのである。【００１０】  また本発明は、圧縮空気が各種機器１２０、１３０、１４０、１５０を経由する際に圧縮空気より発生したドレン水を、前記各種機器１２０、１３０、１４０、１５０に接続しているドレン排出管２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄと集合管２６１、２６２、２６３を経由させて、油水分離槽１０とエマルジョン破壊油吸着槽３０の順にドレン水が流れるように構成されているドレン水処理装置１に送り込むことでドレン水の中に含まれた異物を除去する圧縮空気より発生したドレン水の処理装置に於いて、前記ドレン排出管２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ全てが合流してから前記エマルジョン破壊油吸着槽３０迄の間の集合管２６１、２６２、２６３または接続管２７２、２７３の何れかの位置に、以降の二次圧を一定の値を超えないように減圧する減圧弁２６５を配設したことを特徴とし、更には、前記各種機器１２０、１３０、１４０、１５０は複数存在することを特徴とし、更には、前記ドレン排出管２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄの途中には全て電磁式のドレントラップ２２２、２３２、２４２、２５２を配設したことを特徴とし、更には、前記ドレン排出管２１１ａ、２１１ｂ、２１１ｃ、２１１ｄ、２１２ａ、２１２ｂ、２１２ｃ、２１２ｄ、２１３ａ、２１３ｂ、２１３ｃ、２１３ｄ、２１４ａ、２１４ｂ、２１４ｃ、２１４ｄ全てが合流するということは、複数のエアーコンプレッサが配設されている場合、複数の前記エアーコンプレッサに関係する全てのドレン排出管が合流するものであることを特徴とすることによって、上記課題を解決したのである。
【発明の効果】
【００１１】  以上の説明から明らかなように、本発明によって、以下に示すような効果をあげることが出来る。【００１２】  第一に、ドレン排出管全てが合流してからエマルジョン破壊油吸着槽迄の間の集合管または接続管の何れかの位置に、以降の二次圧を一定の値を超えないように減圧する減圧弁を配設することで、無駄なエネルギーの排出を確実に防止すると同時に、排出しようとしていたエネルギーをドレン水がエマルジョン破壊油吸着槽を通過させるのに有効に活用出来るようになった。【００１３】  第二に、ドレン排出管全てが合流してからエマルジョン破壊油吸着槽迄の間の集合管または接続管の何れかの位置に、以降の二次圧を一定の値を超えないように減圧する減圧弁を配設することで、減圧された流体が持続してエマルジョン破壊油吸着槽に流れ、早い時点に油吸着材が特定の流路を形成することも無くなり、それによって油吸着材の交換時期が長くなった。【００１４】  第三に、前記二つの事項については、接続するドレン排出管の数が多ければ多いほど有効となった。従って、接続するエアーコンプレッサの数が多ければ多いほど更に効果を増していった。
【発明を実施するための最良の形態】
【００１５】  以下、本発明の実施の形態を図面と共に詳細に説明する。
ここで、図１は、本発明全体を示した図である。【００１６】  図１に見られるように、１１０はエアーコンプレッサであり、具体的には図示してはいないが、電動モーターと圧縮機より構成され、電動モーターの回転をベルトに伝達して圧縮機本体に伝え、大気を吸引して圧縮空気を作り出ていた。【００１７】  ここで、エアーコンプレッサ１１０によって作り出された圧縮空気は、圧縮空気配管２０１と、圧縮空気を冷却するアフタークーラ１２０と、圧縮空気配管２０２と、圧縮空気を貯蔵するエアータンク１３０と、圧縮空気配管２０３と、圧縮空気を乾燥させるドライヤーｌ４０と、圧縮空気配管２０４と、圧縮空気に含まれている塵埃やオイルミスト等の各種の異物を除去するフィルター１５０と、圧縮空気配管２０５を経由して、エアーモーターやエアーシリンダ等のアクチュエータを構成した各種の空圧機器に乾燥した清浄な圧縮空気を供給することが出来るようになっている。【００１８】  一方、ドレン水が発生する各種機器１２０でもあるアフタークーラ１２０からは、ドレン水を排出するドレン排出管２１１ａと、手動で開閉可能な開閉弁２２１と、ドレン排出管２１１ｂと、モーターの動作や磁力によって開閉の動作を行い圧縮空気と共にドレン水を排出する電動式のドレントラップ２２２と、ドレン排出管２１１ｃと、ドレン水が下流から上流に逆流するのを防止する逆止弁２２３と、ドレン排出管２１１ｄを経由して、集合管２６１に接続している。【００１９】  また、ドレン水が発生する各種機器１３０でもあるエアータンク１３０の下部からは、ドレン水を排出するドレン排出管２１２ａと、手動で開閉可能な開閉弁２３１と、ドレン排出管２１２ｂと、モーターの動作や磁力によって開閉の動作を行い圧縮空気と共にドレン水を排出する電動式のドレントラップ２３２と、ドレン排出管２１２ｃと、ドレン水が下流から上流に逆流するのを防止する逆止弁２３３と、ドレン排出管２１２ｄを経由して、集合管２６１に接続している。【００２０】  更に、ドレン水が発生する各種機器１４０でもあるドライヤー１４０からは、ドレン水を排出するドレン排出管２１３ａと、手動で開閉可能な開閉弁２４１と、ドレン排出管２１３ｂと、モーターの動作や磁力によって開閉の動作を行い圧縮空気と共にドレン水を排出する電動式のドレントラップ２４２と、ドレン排出管２１３ｃと、ドレン水が下流から上流に逆流するのを防止する逆止弁２４３と、ドレン排出管２１３ｄを経由して、集合管２６１に接続している。【００２１】  加えて、ドレン水が発生する各種機器１５０でもあるフィルターｌ５０からは、ドレン水を排出するドレン排出管２１４ａと、手動で開閉可能な開閉弁２５１と、ドレン排出管２１４ｂと、モーターの動作や磁力によって開閉の動作を行い圧縮空気と共にドレン水を排出する電動式のドレントラップ２５２と、ドレン排出管２１４ｃと、ドレン水が下流から上流に逆流するのを防止する逆止弁２５３と、ドレン排出管２１４ｄを経由して、集合管２６１に接続している。【００２２】  尚、ドレントラップ２２２、２３２、２４２、２５２に於けるドレン水の排出に関しては、常に個々に定めたサイクルで個々に定めた時間の間行なったり、別のやり方として、常に���々に定めたサイクルでドレントラップ２２２、２３２、２４２、２５２より上流の何れかの位置でドレン水の有無を確認しドレン水の存在を確認した場合にのみ個々に定めた時間の間行なうこと等が考えられる。その際、ドレン水を排水した直後に、更にドレン水の存在を確認したら、更に定めた時間の間ドレン水を排出することも考えられる。この場合、ドレントラップ２２２、２３２、２４２、２５２は、電動モーター式と電磁式等の電動式のものが考えられる。【００２３】  ここで、集合管２６１は、それ以降の二次圧を一定の値を超えない様に減圧する減圧弁２６５と、集合管２６２と、ドレン水が下流から上流に逆流するのを防止する逆止弁２６６と、集合管２６３と、油や塵等の各種の異物を分離するドレン水処理装置１を経由して清水管２７４から清水を排出することが出来るようになっている。また、清水管２７４より排出される清水は、河川等にそのままの状態で排出することが出来る位に清浄になっている。【００２４】  所で、減圧弁２６５の配設位置は、集合管２６１、２６２の間に限定される訳では無く、ドレン排出管２１１ｄ、２１２ｄ、２１３ｄ、２１４ｄ全てが合流してからエマルジョン破壊油吸着槽３０迄の間の集合管２６１、２６２、２６３または接続管２７２、２７３の何れかの位置に配設されていれば構わない。【００２５】  この場合、ドレン水処理装置１は、油水分離槽１０とエマルジョン破壊油吸着槽３０から構成されていて、油水分離槽１０とエマルジョン破壊油吸着槽３０の間は、接続管２７２とドレン水が下流から上流に逆流するのを防止する逆止弁２７５と接続管２７３で接続している。【００２６】  但し、エマルジョン破壊油吸着槽３０に関しては、図１に見られる様に、一組の構成に限定される必要はなく、二組でも三組でもそれ以上でも構わない。その場合、エマルジョン破壊油吸着槽３０は、直列に並べても並列に並べても構わない。【００２７】  尚、油水分離槽１０とエマルジョン破壊油吸着槽３０の間に配設されている逆止弁２７５に関しては、エマルジョン破壊油吸着槽３０と逆止弁２７５を対にして直列に複数組並べた場合も並列に複数組並べた場合も考えられるし、エマルジョン破壊油吸着槽３０だけを直列に並べその最上流に逆止弁２７５一組を配設したり、エマルジョン破壊油吸着槽３０だけを並列に並べた集合体の最上流に逆止弁２７５を一組を配設しても構わない。また、逆止弁２７５に関しては逆止弁２６６を含めて、一方または両方を配設しない場合も考えられる。【００２８】  ところで、油水分離槽１０は、油水分離槽本体１１が隔壁１１ｄによって仕切られることで外側に位置している油浮上分離室１１ｘと内側に位置している水貯槽室１１ｙの二つの室を形成し、密閉した油水分離槽本体１１の内部を、上部では液面より更に上の部分で油浮上分離室１１ｘと水貯槽室１１ｙの間を気体である圧縮空気だけが自由に出入り可能な状態に、下部では液体であるドレン水が隔壁１１ｄの先端と油水分離槽本体１１の底部との間で油浮上分離室１１ｘと水貯槽室１１ｙの間を自由に出入り可能な状態になっている。【００２９】  そして、油浮上分離室１１ｘの上部には液面より突出して、一方の管端を集合管２６３に接続した吸入管��１ｂの他方の管端が位置していてドレン水が流れ込むようになっている。従って、油浮上分離室１１ｘでは、液面には水より軽い油が浮上し、底部には水より重い異物が沈殿するようになっている。この場合には、液面に浮上した油は、浮上油取出弁１３を開くことで排出可能となっている。【００３０】  一方、水貯槽室１１ｙでは、液面に吐出管１１ｃの一方の管端が位置し、油浮上分離室１１ｘと水貯槽室１１ｙの間の下部の隔壁１１ｄの先端と油水分離槽本体１１の底部との間の連通している部分より水より軽い油と水より重い異物が取り除かれたドレン水が流入するようになっている。但し、エマルジョン化した油はドレン水の中に溶け込み、この様な方式では分離出来ずにそのまま流入していた。【００３１】  ここで、吐出管１１ｃの他方の管端は、接続管２７２に接続している。従って、水貯槽室１１ｙの液面に集まった吐出管１１ｃの一方の管端より上部に位置する油の除かれた比較的綺麗なドレン水は、油浮上分離室１１ｘ上部と水貯槽室１１ｙ上部に連通して密閉されている圧縮空気の圧力によって、吐出管１１ｃの一方の管端から入り他方の管端から接続管２７２に圧縮空気と共に送り出されるようになっている。尚、油浮上分離室１１ｘ上部と水貯槽室１１ｙ上部の圧縮空気の圧力が確認可能な様に、油水分離槽本体１１の上部に圧力計１２を配設している。【００３２】  また、油水分離槽本体１１の外周には、図１に見られる様に、上下の方向に位置し、油水分離槽本体１１の上端と下端を含め四個所で連通している透明な透明管１１ａを形成している。この場合、透明管１１ａの目的は、油浮上分離室１１ｘに流入した直後の油浮上分離室１１ｘのドレン水の汚れの状況を目視や光学的手段で確認する為に形成したものである。従って、透明管１１ａの材料としては、ガラス製やプラスチック製等の透明のものが考えられる。【００３３】  尚、透明管１１ａと油水分離槽本体１１との連通箇所は、四個所に限定される訳では無く、二個所でも三箇所でも五箇所でもそれ以上でも構わない。また、汚染状況を確認する手段として、光を照射して透過光や反射光によって判断する等の光学的方法が考えられる。【００３４】  さて、エマルジョン破壊油吸着槽３０では、エマルジョン破壊油吸着槽本体３１の中に、色素や異臭を除去する活性炭３４を概ね中央部の断面全体にドレン水の流れを遮るように配設し、エマルジョンを破壊させる目的のエマルジョン破壊粒子を付着させたエマルジョン破壊粒子付き油吸着材３２と油を吸着する目的の油吸着材３３を概ね均一に混在させたものを、活性炭の前後に収納したものである。【００３５】  ここで、エマルジョン破壊油吸着槽本体３１は、外部から内部の状況を目視可能なガラス製やプラスチック製等の透明の材料を使用したり、外部から内部の状況を目視可能な様にガラス製やプラスチック製等の透明の材料をはめ込む等のことも考えられる。【００３６】  この場合、エマルジョン破壊粒子付き油吸着材３２は、エマルジョン破壊粒子の働きによって微小の油が水と結合してエマルジョン化したドレン水をエマルジョン破壊することで油と水の結合を解き放ち、その後、分離した油はエマルジョン破壊粒子付き油吸着材３２を構成している油吸着材や油吸着材３３に吸着される。従って、エマルジョン破壊粒子付き油吸着材３２と油吸着材３３が散在することによって、エマルジョン化した油から油を完全に分離し吸着することによって除去が可能となったのである。【００３７】  一方、粒状の活性炭３４の配設は、色素や異臭を吸着したり除去することをその目的としている。また、活性炭３４のエマルジョン破壊油吸着槽３０内での充填する位置としては、最上流では活性炭３４が早く汚れてしまい、最下流では活性炭３４そのものが流出することによって汚れた水が流れるように見える為に、概ね中央部に位置させることが望ましい。【００３８】  ここで、エマルジョン破壊油吸着槽本体３１の構造としては、液体であるドレン水が、流入口からエマルジョン破壊油吸着槽本体３１に流入し、流出口から排出する間に、エマルジョン破壊油吸着槽本体３１内を均一に流れる様に、エマルジョン破壊油吸着槽本体３１の両端部である入口側と出口側には空間部３１ｚを確保している。【００３９】  従って、両端の空間部３１ｚを確保する為に、数多くの小さな穴を形成している多孔板３１ｃを二枚用意し、その多孔板３１ｃとエマルジョン破壊油吸着槽本体３１の両端の端部との間にエマルジョン破壊油吸着槽本体３１より小径の円筒状の支柱３１ｄを配設することによって多孔板３１ｃを支え、エマルジョン破壊粒子付き油吸着材３２と油吸着材３３と活性炭３４を、二つの多孔板３１ｃの間に収納するようにしている。但し、支柱３１ｄは円筒状のものに限る必要は全く無く、空間部３１ｚを確保出来れば、どのような形状でも構わない。尚、多孔板３１ｃとしては、数多くの小さな穴を形成したパンチングプレートやセラミック樹脂等が考えられる。【００４０】  また、エマルジョン破壊粒子付き油吸着材３２と油吸着材３３は、油等の異物を吸収するに従って抵抗が大きくなり、圧縮されながら下流に向かって押し付けられることで、更に抵抗が大きくなると同時に、エマルジョン化した油の破壊や油吸着の機能が確実に低下する。【００４１】  そこで、このことを少しでも防止する為に、液体の流れを垂直に遮ることが出来る様に、エマルジョン破壊油吸着槽本体３１の略中央部に数多くの小さな穴を形成した中間多孔板３１ｅを配設し、中間多孔板３１ｅを支える為、中間多孔板３１ｅと多孔板３１ｃの間にエマルジョン破壊油吸着槽本体３１より小径の円筒状の支持材３１ｆを配設することによってエマルジョン破壊粒子付油吸着材３２や油吸着材３３が圧縮されることを防止している。【００４２】  但し、中間多孔板３１ｅの位置に関しては、エマルジョン破壊油吸着槽本体３１の略中央部に多少前後しても構わない。また、支持材３１ｆは円筒状のものに限る必要はなく、数本のボルトで固定する等中間多孔板３１ｅを支持出来れば、どのような形状でも構わない。【００４３】  尚、エマルジョン破壊油吸着槽本体３１の内部には、活性炭３４を中間多孔板３１ｅの下流直後に充填するのが最善であるが、中間多孔板３１ｅの上流直前に充填するのも最善に近い効果がみられる。一方、中間多孔板３１ｅの多少前後して充填してもかなりの効果が見られるし、エマルジョン破壊油吸着槽本体３１の両端末の何れかの部分に充填してもそれなりの効���がみられる。【００４４】  更に、図１ではエマルジョン破壊粒子付油吸着材３２と油吸着材３３は、概ね均一に混在させたものを活性炭３４前後に収納しているが、エマルジョン破壊粒子付油吸着材３２と油吸着材３３を交互に層を成して収納し入口と出口に近い層は油吸着材３３を収納するということも考えられる。【００４５】  ここで、エマルジョン破壊粒子を吸着材に付着させたエマルジョン破壊粒子付油吸着材３２を作る方法としては、アミンや硫酸バリウム等のエマルジョン破壊粒子が溶媒で溶解されている溶液を吸着材に付着させた後に溶媒を蒸発乾燥させるような方法が一般的であるが、溶液を油吸着材３３に霧状に吹き付ける方法もある。また、アミンや硫酸バリウム等のエマルジョン破壊粒子を溶解した状態でなく、液体内で均一に混合された状態で吸着材に付着させるという方法も考えられる。【００４６】  この場合、エマルジョン破壊粒子と油吸着材をエマルジョン破壊粒子付き油吸着材３２の状態にしないで、粒子の状態のままで吸着材の間でばらばらに分散するように充填しても構わない。この場合においても、活性炭３４は、中間多孔板３１ｅの上流直前直後やその周辺に配置するのが最も良いし、入口や出口の多孔板３１ｃの直後や直前に配置しても良い。【００４７】  但し、前記の何れの場合においても、活性炭３４を配置しなで構成することも考えられる。【００４８】  一方、本発明に用いられるアミンについてはアミン化合物またはその誘導体が考えられ、アミン化合物またはその誘導体が２５℃であるとき固体状のものであることが好ましいが、その化合物が２５℃で非固体状であっても、他の化合物との混合物で固体状になる化合物でも構わない。つまり、化合物は、一種類単独で使用しても、二種類以上使用しても良い。【００４９】  さて、これらのアミン化合物やその誘導体は、好ましくは、一種アミン、二種アミン、三種アミン、及び、その誘導体であり、より好ましくは、一種アミン、二種アミン、及び、その誘導体であり、特に好ましくは、一種アミン（例えば、ステアリルアミン）、及び、その誘導体である。【００５０】  また、油吸着材３３及びエマルジョン破壊粒子付き油吸着材３２に使用している油吸着材としては、ポリプロピレンやポリスチレンの繊維よりなるものが考えられる。但し、油吸着材３３及びエマルジョン破壊粒子付き油吸着材３２に使用している油吸着材に関しれであればその他のものでも構わない。【００５１】  本発明による、圧縮空気用より発生したドレン水の処理方法および処理装置は前述したように構成されており、以下に、その動作について説明する。【００５２】  先ず、エアーコンプレッサ１１０を構成している電動モーターを作動させると、電動モーターの回転は圧縮機に伝えられ圧縮空気を作り出す。ここで、作り出された圧縮空気は、圧縮空気配管２０１とアフタークーラｌ２０と圧縮空気配管２０２とエアータンク１３０と圧縮空気配管２０３とドライヤー１４０と圧縮空気配管２０４とフィルター１５０と圧縮空気配管２０５を経由して、その先端のエアーモーターやエアーシリンダ等のアクチュエータに対し必要に応じて乾燥した清浄な圧縮空気を送り出すことが出来るようになっている。【００５３】  一方��アフタークーラ１２０やエアータンク１３０やドライヤー１４０やフィルター１５０で圧縮空気より発生したドレン水は圧縮空気と共に、ドレン排出管２１１ａ、２１２ａ、２１３ａ、２１４ａと開閉弁２２１、２３１、」２４１、２５１とドレン排出管２１１ｂ、２１２ｂ、２１３ｂ、２１４ｂとドレントラップ２２２、２３２、２４２、２５２とドレン排出管２１１ｃ、２１２ｃ、２１３ｃ、２１４ｃと逆止弁２２３、２３３、２４３、２５３とドレン排出管２１１ｄ、２１２ｄ、２１３ｄ、２１４ｄを経由して集合管２６１に合流し、更に減圧弁２６５と集合管２６２と逆止弁２６６と集合管２６３を経由して、油水分離槽１０とエマルジョン破壊油吸着槽３０から構成されるドレン水処理装置１に送られ油や塵を含む各種の異物を除去し、清水管２７４から河川にそのまま排出しても問題のないような清浄な清水にすることが出来るようになっている。【００５４】  ここで、圧縮空気とドレン水が減圧弁２６５を通過することで以降のドレン水を伴った圧縮空気の二次圧が減圧弁２６５の設定値に減圧され、減圧によって余分となったエネルギーを有効に使うことによってその圧力を持続させることが可能となり、更に、エマルジョン破壊粒子付き油吸着材３２と油吸着材３３を充填している中でドレン水を常に理想的な圧力で持続して通過させ、その事で、エマルジョン破壊粒子付き油吸着材３２と油吸着材３３の間には特定の流路を形成することも無く平均して円滑に通過させることが可能となったのである。従って、エマルジョン破壊粒子付き油吸着材３２と油吸着材３３を長期間使用することが可能となった。【００５５】  尚、ドレン水処理装置１に於いては、最初に油水分離槽１０の油浮上分離室１１ｘで、水より軽い油を水面に浮かせ、水より重い各種の異物を底部に沈殿させ、油浮上分離室１１ｘと水貯槽室１１ｙの間に形成した隔壁１１ｄ先端と油水分離槽本体１１の底部の間を通って油や各種の異物を除去された比較的綺麗なドレン水が水貯槽室１１ｙに送り込まれるようになっている。但し、このドレン水に溶け込んで、エマルジョン化した油が混入している【００５６】  一方、ドレン水と共に油水分離槽１０に送り込まれた圧縮空気は、油水分離槽本体１１の上部である油浮上分離槽１１ｘの上部と水貯槽室１１ｙの上部の、密閉された部分に滞留している。尚、油水分離槽本体１１外側に位置して油水分離槽本体１１の油浮上分離室１１ｘと連通している透明な透明管１１ａによって、油水分離槽１０に送り込まれた直後の汚いドレン水は、汚れの状態を目視等の方法で確認することが可能となっているのである。【００５７】  ここで、水貯槽室１１ｙに送り込まれたドレン水は、水貯槽室１１ｙに形成された吐出管１１ｃの一方の端部である管端より上部に溜まると、油水分離槽本体１１の上部に滞留している圧縮空気の力によって、吐出管１１ｃと接続管２７２と逆止弁２７５と接続管２７３を経由してエマルジョン破壊油吸着槽３０を経由して清水になって排出されるのである。【００５８】  この場合、圧縮空気の力は、エマルジョン破壊油吸着槽３０が密閉した状態になっている為に、ドレン水が清水管２７４より排出される迄、ドレン水の移動を助けている。尚、圧縮空気の圧力���しては、減圧弁によって０．０１〜０．７ＭＰａの何れかの値が設定されている。【００５９】  但し、油水分離槽１０の油浮上分離室１１等で油や各種の異物は分離されるが、エマルジョン化した油はドレン水の中に溶け込んだ状態でエマルジョン破壊油吸着槽３０に送り込まれる可能性も残っている。【００６０】  一方、エマルジョン破壊油吸着槽３０では、圧縮空気と共に送り込まれたドレン水がエマルジョン破壊粒子を付着させたエマルジョン破壊粒子付油吸着材３２と油を吸着する油吸着材３３を概ね均一に混在させた状態で収納させた中で、エマルジョン破壊粒子付油吸着材３２と油吸着材３３をランダムに経由することで、エマルジョン破壊粒子付油吸着材３２ではエマルジョン化した油の水と油の結合を解き放つことでエマルジョン破壊を行い、更に離脱した油を吸着させ、油吸着材３３ではエマルジョン破壊粒子付油吸着材３２で吸着出来なかった油を吸着させ、このような処理をランダムに何度も行うことによってドレン水の清浄度が向上していく。また、ドレン水が活性炭３４を通過すると匂いや色素が除去されるようになっている。
【図面の簡単な説明】
【００６１】
【図１】  本発明全体を示した図
【符号の説明】
【００６２】１・・・・・・・ドレン水処理装置
１０・・・・・・油水分離槽
１１・・・・・・油水分離槽本体
１１ａ・・・・・透明管
１１ｂ・・・・・吸入管
１１ｃ・・・・・吐出管
１１ｄ・・・・・隔壁
１１ｘ・・・・・油浮上分離室
１１ｙ・・・・・水貯槽室
１２・・・・・・圧力計
１３・・・・・・浮上油取出弁
３０・・・・・・エマルジョン破壊油吸着槽
３１・・・・・・エマルジョン破壊油吸着槽本体
３１ｃ・・・・・多孔板
３１ｄ・・・・・支柱
３１ｅ・・・・・中間多孔板
３１ｆ・・・・・支柱材
３１ｚ・・・・・空間部
３２・・・・・・エマルジョン破壊粒子付油吸着材
３３・・・・・・油吸着材
３４・・・・・・活性炭
１１０・・・・・エアーコンプレッサ
１２０・・・・・アフタークーラ（各種機器）
１３０・・・・・エアータンク（各種機器）
１４０・・・・・ドライヤー（各種機器）
１５０・・・・・フィルター（各種機器）
２０１・・・・・圧縮空気配管
２０２・・・・・圧縮空気配管
２０３・・・・・圧縮空気配管
２０４・・・・・圧縮空気配管
２０５・・・・・圧縮空気配管
２１１ａ・・・・ドレン排出管
２１１ｂ・・・・ドレン排出管
２１１ｃ・・・・ドレン排出管
２１１ｄ・・・・ドレン排出管
２１２ａ・・・・ドレン排出管
２１２ｂ・・・・ドレン排出管
２１２ｃ・・・・ドレン排出管
２１２ｄ・・・・ドレン排出管
２１３ａ・・・・ドレン排出管
２１３ｂ・・・・ドレン排出管
２１３ｃ・・・・ドレン排出管
２１３ｄ・・・・ドレン排出管
２１４ａ・・・・ドレン排出管
２１４ｂ・・・・ドレン排出管
２１４ｃ・・・・ドレン排出管
２１４ｄ・・・・ドレン排出管
２２１・・・・・開閉弁
２２２・・・・・ドレントラップ
２２３・・・・・逆止弁
２３１・・・・・開閉弁
２３２・・・・・ドレントラップ
２３３・・・・・逆止弁
２４１・・・・・開閉弁
２４２・・・・・ドレントラップ
２４３・・・・・逆止弁
２５１・・・・・開閉弁
２５２・・・・・ドレントラップ
２５３・・・・・逆止弁
２６１・・・・・集合管
２６２・・・・・集合管
２６３・・・・・集合管
２６５・・・・・減圧弁
２６６・・・・・逆止弁
２７２・・・・・接続管
２７３・・・・・接続管
２７４・・・・・清水管
２７５・・・・・逆止弁
【図１】
2005111459.tif 000003